(57)【要約】  光軸近傍を通過するエネルギーの高い信号電子、例えば、後方散乱電子（ＢＳＥ）やブースター光学系における二次電子（ＳＥ）を検出可能にする。このため、荷電粒子線を発生させる荷電粒子線源101と、荷電粒子線を試料に収束する対物レンズ105と、荷電粒子線源101と対物レンズ105との間に配置され、荷電粒子線と試料との相互作用により生じる荷電粒子を検出する荷電粒子検出素子108とを有する荷電粒子線装置において、荷電粒子検出素子108の検出面は対物レンズ105の中心軸上に配置される。
2018220809.tif 000002
【特許請求の範囲】
【請求項１】
荷電粒子線を発生させる荷電粒子線源と、
前記荷電粒子線を試料に収束する対物レンズと、
前記荷電粒子線源と前記対物レンズとの間に配置され、前記荷電粒子線と前記試料との相互作用により生じる荷電粒子を検出する第１荷電粒子検出素子とを有し、
前記第１荷電粒子検出素子の検出面が前記対物レンズの中心軸上に配置される荷電粒子線装置。
【請求項２】
請求項１において、
前記荷電粒子線の光軸上に配置され、開口部を有する第１荷電粒子線絞りを有し、
前記第１荷電粒子検出素子は、前記第１荷電粒子線絞りの開口部の中心位置に配置される荷電粒子線装置。
【請求項３】
請求項２において、
前記第１荷電粒子線絞りは前記開口部の中心位置に前記荷電粒子線を遮蔽する遮蔽部を有する円環絞りであり、
前記第１荷電粒子検出素子は、前記円環絞りの前記遮蔽部に配置される荷電粒子線装置。
【請求項４】
請求項２において、
前記第１荷電粒子線絞りの前記開口部の周辺に配置される第２荷電粒子検出素子を有し、
前記第１荷電粒子検出素子の信号出力と前記第２荷電粒子検出素子の信号素子とは分離して出力可能とされる荷電粒子線装置。
【請求項５】
請求項２において、
開口部に荷電粒子検出素子が配置されない第２荷電粒子線絞りと、
前記第１荷電粒子線絞りと前記第２荷電粒子線絞りとを選択可能に支持する荷電粒子線絞りユニットとを有する荷電粒子線装置。
【請求項６】
請求項２において、
前記第１荷電粒子検出素子は、前記荷電粒子線と前記試料との相互作用により生じる荷電粒子をシンチレータ光に変換するシンチレータと、前記シンチレータ光を検出する光検出素子とを有する荷電粒子線装置。
【請求項７】
請求項１において、
前記第１荷電粒子検出素子の検出面の位置、または前記第１荷電粒子検出素子の検出面と前記対物レンズの中心軸のなす角を調整する駆動機構とを有する荷電粒子線装置。
【請求項８】
請求項１において、
前記荷電粒子線を偏向する偏向器群を有し、
前記偏向器群により、前記荷電粒子線源から発生された荷電粒子線を、前記第１荷電粒子検出素子の検出面を避けて、前記対物レンズに入射させる荷電粒子線装置。
【請求項９】
請求項１において、
前記荷電粒子線と前記試料との相互作用により生じる荷電粒子を加速させる加速機構を有し、
前記第１荷電粒子検出素子は前記加速機構により加速された荷電粒子を検出する荷電粒子線装置。
【請求項１０】
荷電粒子線を発生させる荷電粒子線源と、
前記荷電粒子線を試料に収束する対物レンズと、
前記荷電粒子線源と前記対物レンズとの間の前記対物レンズの中心軸上に配置されるシンチレータと、
光検出素子とを有し、
前記シンチレータは、前記荷電粒子線と前記試料との相互作用により生じる荷電粒子をシンチレータ光に変換し、前記光検出素子は前記シンチレータ光を検出する荷電粒子線装置。
【請求項１１】
請求項１０において、
前記シンチレータ光の進行方向を変えるミラーまたはプリズムまたは光ファイバーを有し、
前記光検出素子は、前記荷電粒子線の光軸外に配置される荷電粒子線装置。
【請求項１２】
荷電粒子線を発生させる荷電粒子線源と、
前記荷電粒子線を試料に収束する対物レンズと、
前記荷電粒子線源と前記対物レンズとの間に配置され、前記荷電粒子線と前記試料との相互作用により生じる荷電粒子を検出する第１荷電粒子検出素子と、
前記第１荷電粒子検出素子の検出面の位置、または前記第１荷電粒子検出素子の検出面と前記対物レンズの中心軸のなす角を調整する駆動機構とを有し、
前記第１荷電粒子検出素子の検出面は前記対物レンズの中心軸上に配置され、前記荷電粒子線と前記試料との相互作用により生じる荷電粒子間の干渉を検出する荷電粒子線装置。
【請求項１３】
請求項１２において、
前記駆動機構は電動駆動機構を有する荷電粒子線装置。
【請求項１４】
請求項１２において、
第２荷電粒子検出素子を有し、
前記第２荷電粒子検出素子の検出面は、前記第１荷電粒子検出素子と前記試料との間の、前記対物レンズの中心軸上に配置される荷電粒子線装置。
【請求項１５】
請求項１２において、
開口部の中心位置に遮蔽部を有する円環絞りを有し、
前記円環絞りの遮蔽部は、前記第１荷電粒子検出素子と前記試料との間の、前記対物レンズの中心軸上に配置される荷電粒子線装置。
【発明の詳細な説明】
【技術分野】
【０００１】
本発明は、荷電粒子線装置に関する。
【背景技術】
【０００２】
ナノレベルの観察が可能な電子顕微鏡は、半導体分野や材料分野、バイオ分野など様々な分野で用いられている。走査型電子顕微鏡（ＳＥＭ：Scanning Electron Microscope）、透過電子顕微鏡（ＴＥＭ：Transmission Electron Microscope）、走査型透過電子顕微鏡（ＳＴＥＭ：Scanning Transmission Electron Microscope）などは、電子源から放出された電子を観察試料に照射し、試料から放出される二次電子や後方散乱電子、または、試料を透過した電子を検出することで、試料の構造情報や組成情報を取得する。したがって、得られる試料情報は、検出器の構成に大きく依存する。この点は、電子顕微鏡に限ったことではなく、イオン顕微鏡といったその他の顕微鏡においても同じである。【０００３】
光軸近傍を通過する信号電子の検出に関し、ブースター光学系における信号検出方法であるが、円環状の検出器を用いた信号検出系が知られている（特許文献１）。また、信号電子を偏向する方法も知られている（特許文献２）。
【先行技術文献】
【特許文献】
【０００４】
【特許文献１】特開２０００−３０６５４号公報
【特許文献２】特開平７−１９２６７９号公報
【発明の概要】
【発明が解決しようとする課題】
【０００５】
光軸近傍を通過するエネルギーの高い信号電子、例えば、後方散乱電子（ＢＳＥ）やブースター光学系における二次電子（ＳＥ）を検出するには、特許文献１の方法では荷電粒子線の照射軸（光軸）上に開口があり、光軸近傍の信号を検出することは難しい。一方、特許文献２の方法では、信号電子のエネルギーが低い場合は偏向することで大きな問題は生じないと考えられるものの、信号電子のエネルギーが高い場合、十分な偏向角を得ようとすると照射電子線（一次電子線）にも影響を及ぼしてしまう。加えて、信号電子を偏向して検出する場合、光軸に対して軸対称に放出された信号電子を均等に検出するのは難しい。
【課題を解決するための手段】
【０００６】
荷電粒子線を発生させる荷電粒子線源と、荷電粒子線を試料に収束する対物レンズと、荷電粒子線源と対物レンズとの間に配置され、荷電粒子線と試料との相互作用により生じる荷電粒子を検出する荷電粒子検出素子とを有する荷電粒子線装置において、荷電粒子検出素子の検出面は対物レンズの中心軸上に配置される。
【発明の効果】
【０００７】
光軸近傍を通過するエネルギーの高い荷電粒子を検出することが可能になる。二次荷電粒子に起因する干渉縞を検出することが可能になる。
【図面の簡単な説明】
【０００８】
【図１】実施例１における荷電粒子線装置の概略図。
【図２Ａ】荷電粒子検出素子の構成を説明する図。
【図２Ｂ】荷電粒子検出素子の構成を説明する図。
【図２Ｃ】荷電粒子検出素子の構成を説明する図。
【図３】複数の開口絞りを有する荷電粒子線絞りユニットの例。
【図４】実施例１における荷電粒子線装置の別の概略図。
【図５】実施例１における荷電粒子線装置の別の概略図。
【図６】実施例２における荷電粒子線装置の概略図。
【図７】実施例３における荷電粒子線装置の概略図。
【発明を実施するための形態】
【０００９】
図面を用いて本実施例について説明する。ただし、以下に説明する実施形態は本発明を実現するための一構成例に過ぎず、本発明の技術的範囲を限定するものではない。また、各図において共通の構成については同一の参照番号が付して説明は省略する。
【実施例１】
【００１０】
実施例１の構成を図１に示す。荷電粒子線装置の荷電粒子光学系は、荷電粒子線を発生する荷電粒子線源101と、荷電粒子線源101から放出された荷電粒子線を集束する第１、第２のコンデンサーレンズ103、104と、荷電粒子線源101から放出された荷電粒子の一部を遮蔽する荷電粒子線絞り120と、荷電粒子線絞り120を支持する荷電粒子線絞りユニット121と、荷電粒子線を試料に集束する対物レンズ105とを有している。荷電粒子光学系からの荷電粒子線が照射される観察試料114は試料室115に配置される。荷電粒子線が観察試料114に照射されると、荷電粒子線と観察試料との相互作用により荷電粒子が生じる。【００１１】
観察試料との相互作用により生じる荷電粒子（二次荷電粒子）を検出するため、図１の構成例では、荷電粒子線絞り120の中心部にその検出面が配置された荷電粒子検出素子108及び試料室に配置された試料室検出器118とを有している。このように複数の検出器を設けているのは、エネルギーや放出角度の異なる荷電粒子を別個に検出するためである。荷電粒子線として電子線を用いた場合を例に説明する。入射電子により試料内の電子が励起され真空中に放出された電子が二次電子（狭義）であり、そのエネルギーは一般的に５０eV以下として定義される。一方、入射電子が試料内で散乱されて再び試料表面から真空に放出された電子が後方散乱電子であり、そのエネルギーは高く、一般的には５０eV以上のエネルギーをもつ。エネルギーの低い二次電子は、荷電粒子光学系が配置される荷電粒子線カラム外に配置される試料室検出器118により、また、エネルギーの高い後方散乱電子は、荷電粒子線カラム内に配置される荷電粒子検出素子108により検出する。【００１２】
荷電粒子光学系、試料室、検出器の各構成を制御するための制御器がそれぞれ設けられている。すなわち、荷電粒子線源101を制御する荷電粒子線源制御器151、第１のコンデンサーレンズ103を制御する第１のコンデンサーレンズ制御器153、第２のコンデンサーレンズ104を制御する第２のコンデンサーレンズ制御器154、荷電粒子線絞りユニット121を制御する荷電粒子線絞りユニット制御器181、対物レンズを制御する対物レンズ制御器155、荷電粒子検出素子108を制御する荷電粒子検出素子制御器158、試料室検出器118を制御する試料室検出器制御器168が設けられている。これら制御器は、荷電粒子線装置全体の動作を制御および検出器から検出された荷電粒子信号から荷電粒子線像の構築を行う統合コンピュータ170により制御される。また、統合コンピュータ170には、各制御器の他にも、オペレータが照射条件や電極の電圧条件や位置条件といった各種指示等を入力するコントローラ（キーボード、マウスなど）171と、取得した荷電粒子線像や荷電粒子線装置の制御画面をオペレータに表示するディスプレイ172とが接続されている。【００１３】
なお、図１に示したのは荷電粒子線装置の要部のみであり、例えば、荷電粒子線源101から放出される荷電粒子線を観察試料114上で走査、シフトするための偏向系や、観察試料114を戴置するステージ機構などが装置の機能に応じて設けられる。また、図１の例では２つのコンデンサーレンズを備えるが、対物レンズに入射する荷電粒子をコントロールする目的とするものであり、コンデンサーレンズの数に制限はない。また、対物レンズは、磁路の外に磁場を漏らさないタイプのレンズであっても、磁路の外に磁場を漏らすタイプのレンズでもよく、また磁場を漏らすタイプと漏らさないタイプの両方を備える複合対物レンズでもよい。試料に荷電粒子線を集束する目的においてレンズのタイプに制限はないので、コンデンサーレンズおよび対物レンズは、磁界レンズに限られず、静電レンズであってもよい。ただし、特に観察試料114に接近して配置される対物レンズ105は、観察試料114から放出される荷電粒子を加速または減速するといった作用を及ぼす場合があるので、その作用を考慮して、観察条件を設定する必要がある。さらに、荷電粒子線装置が備える荷電粒子線カラムは１つに限られず、複数の荷電粒子線カラムを備える複合荷電粒子線装置であってもよい。【００１４】
図２Ａ〜Ｃを用いて荷電粒子検出素子108の構成を説明する。荷電粒子検出素子108は、３つの検出素子支持部110によって、荷電粒子線絞り120の開口部の中心位置に配置される。荷電粒子線絞り120は、開口絞り120aでもよいし（図２Ａ，Ｃ）、円環絞り120bでもよい（図２Ｂ）。円環絞り120bは、開口絞りの開口部の中心位置にも荷電粒子線を遮蔽する遮蔽部が設けられている絞りである。円環絞り120bの中心位置の遮蔽部の形状や大きさは荷電粒子検出素子108とほぼ同等とするため、円環絞り120bに荷電粒子検出素子108を設けた場合の上面図は図２Ａの上面図とほぼ同等のものとなる。荷電粒子検出素子108、荷電粒子線絞り120の大きさは特に限定するものではないが、荷電粒子検出素子の直径が６０μｍ程度、荷電粒子線絞りの開口部の内径が８０〜１００μｍ程度である。【００１５】
また、荷電粒子検出素子108を、シンチレータ109を積層した光検出素子107で構成することもできる（図２Ｃ）。この場合、電子を直接検出するのではなく、シンチレータ109によって光（シンチレータ光）に一旦変換し、変換された光（シンチレータ光）を光検出素子107で検出する。荷電粒子検出素子108（または光検出素子107）は小型である必要があるため、半導体素子（ＣＣＤ（Charge-Coupled Device）、フォトダイオード、フォトダイオードアレイ）、シリコン光電子増倍管（ＳｉＰＭ）などの固体検出器を用いる。例えば、ＣＭＯＳイメージセンサの分野では２μｍ以下の画素サイズのセンサ構造も報告されており、これらの技術が活用できる。【００１６】
さらに、荷電粒子検出素子108を、荷電粒子線絞り120の開口部の中心位置に配置される第１の荷電粒子検出素子に加えて、荷電粒子線絞り120の開口部の周辺に第２の荷電粒子検出素子を配置して、複数の荷電粒子検出素子で構成してもよい。複数の荷電粒子検出素子を用いることで、試料からの荷電粒子を検出する検出面積を増やすことができる。この場合は、第１の荷電粒子検出素子の信号出力と第２の荷電粒子検出素子の信号出力とは分離し、第１の荷電粒子検出素子のみの信号出力も出力できるように構成することが望ましい。第２の荷電粒子検出素子の信号出力は光軸からやや離れた荷電粒子を検出するため、後述する荷電粒子間の干渉を検出する場合のように、第１の荷電粒子検出素子のみの信号出力で観察することが望ましい場合があるためである。【００１７】
また、荷電粒子検出素子108（または光検出素子107）から検出信号を外部に引き出すための検出素子信号線111が検出素子支持部110の一つに配置されている。信号を引き出す目的からは、検出素子信号線111を検出素子支持部110とは別に配置してもよいが、荷電粒子線源101からの荷電粒子線への影響を最小限にするために検出素子信号線111を検出素子支持部110に配置することが望ましい。また、シンチレータ109に高電圧を印加する構成とする場合には、そのための電圧供給配線も検出素子支持部110の一つに配置することが望ましい。なお、図２Ａの例では、支持部110のたわみや回転を考慮して、３つの支持部によって荷電粒子検出素子108を支持しているが、支持部の数は３に限定されるものではない。また、荷電粒子線絞り120により支持するのではなく、荷電粒子線絞りを備える荷電粒子線絞りユニット121とは別に、荷電粒子検出素子108を支持する荷電粒子検出器ユニットを設けても構わない。この場合は、荷電粒子線絞り120をもたない荷電粒子光学系や、荷電粒子検出素子108を荷電粒子線絞り120から離して配置する荷電粒子光学系（図４を参照）においても、本実施例の荷電粒子検出素子108の適用が可能になる。【００１８】
このように、荷電粒子線の光軸上に荷電粒子検出素子108を配置することで、荷電粒子線の光量が低下するためＳ／Ｎが低下する一方、荷電粒子線が絞られることにより分解能は向上するため、その間のバランスで観察条件を求めればよい。荷電粒子線の光軸上に荷電粒子検出素子108の検出面を配置することの利点については後述する。【００１９】
また、図３に示すように、荷電粒子線絞りユニット121は、荷電粒子検出素子108が支持される絞りとは別に１つ以上の開口絞りを備えてもよい。図３の例は、開口径が異なる複数の開口絞り120c〜eを備えた例である。これにより、荷電粒子検出素子の挿入状態と退避状態とを選択できることになり、一般的な照射条件と本実施例の照射条件とを選択でき、観察の幅を広げることができる。また、荷電粒子検出素子を支持する荷電粒子検出器ユニットを設ける場合には、荷電粒子検出素子の挿入状態と退避状態を選択できるように、荷電粒子検出器ユニットに駆動機構を設けることで、同様の効果を得ることができる。【００２０】
図４は荷電粒子線絞り120と荷電粒子検出素子108とを離して配置した例である。荷電粒子検出素子108を、荷電粒子線の光軸上、または対物レンズ105の中心軸上に、かつ荷電粒子線絞り120とは離れた位置に配置することで、荷電粒子線カラムの下部（対物レンズ105に近い側）に配置でき、観察の幅が広がる。かかる配置により、試料に照射される荷電粒子線の電流量や開き角などの照射条件と、荷電粒子線と観察試料との相互作用により生じた荷電粒子の検出とを分離して最適化することができる。【００２１】
図５に別の変形例を示す。図５の例では、荷電粒子線の光軸（対物レンズ105の中心軸）上にはシンチレータ109を配置し、シンチレータ109の上部にミラー106および光検出素子107を配置している。なお、シンチレータ109は荷電粒子線源101からの荷電粒子線からは遮蔽された構造とする。光検出素子107を制御する光検出素子制御器157も設けられ、統合コンピュータ170により制御される。ミラー106は、荷電粒子線の光軸上を通すように開口を持ち、シンチレータから広がった光（シンチレータ光）を検出する構成となっている。なお、光軸上にミラーを支持する構成としてもよいし、円環形状のミラーを用いても構わない。特にシンチレータ109とミラー106とが近接して配置されている場合には、荷電粒子線の光軸上にミラーを設けることでシンチレータ光の検出効率を上げることができ有効である。また、ミラーの代わりにプリズムを用いてもよい。さらに、ミラーやプリズムはシンチレータ面に対する角度を変更するための機構を備えていてもよい。また、シンチレータ109とミラー106（またはプリズム）との間、またはミラー106（またはプリズム）と光検出素子107との間に伝送損失を減少させるためにライトガイドや光学レンズ、光ファイバーなどを配置してもよい。また、光ファイバーのみを用いて、シンチレータ光を光検出素子に導く構成としてもよい。【００２２】
荷電粒子検出素子の検出面を荷電粒子線の光軸（対物レンズの中心軸）上に配置することにより、光軸上または光軸近傍を進む二次荷電粒子を検出することができる。なお、二次荷電粒子という場合は、荷電粒子線と試料との相互作用により生じる荷電粒子を広くさすものとする。例えば、二次電子（狭義）も後方散乱電子も二次荷電粒子である。ここで、二次荷電粒子として後方散乱電子を検出する場合を例にとると、後方散乱電子は試料を構成する元素により発生量が異なるため、試料中の組成分布を確認するために後方散乱電子像が用いられる。従来のように荷電粒子検出器が荷電粒子線の光軸に対して所定の角度をもって配置される場合、後方散乱電子の検出信号には、組成の情報に加え、試料表面の凹凸情報も含んだ情報になってしまう。これに対して、荷電粒子線の光軸上に配置された荷電粒子検出素子により後方散乱電子を検出することにより、試料表面の凹凸情報が排除され、組成情報をより選択的に取得することができる。【００２３】
また、光軸付近の二次荷電粒子を検出するために二次荷電粒子を偏向させる従来手法（特許文献２参照）では、この偏向により光軸に対して軸対象に放出された二次荷電粒子を均等に検出するのは困難であったのに対し、光軸上に検出面を配置することにより、光軸に対して同じ角度で放出された電子を均等に検出することができる。偏向させないので、エネルギーの高い二次荷電粒子であっても、荷電粒子線に歪み等の影響を与えることなく、光軸上または光軸近傍を進む二次荷電粒子の検出が可能である。【００２４】
さらに、光軸に対して軸対称に放出された二次荷電粒子と光軸上を進む二次荷電粒子の干渉を検出することができる。これにより、空間分解能の向上を図ることができる。例えば、試料表面から光軸上を進む二次荷電粒子と光軸に対して軸対称に放出された二次荷電粒子との間の干渉を検出することができる。また、光軸上を進む二次荷電粒子を検出素子の下方で遮蔽した場合には、光軸に対して軸対称に放出された二次荷電粒子間の干渉を検出することができる。この場合、干渉縞は、光軸に対して平行に形成されるため二次荷電粒子のエネルギー広がりの影響を受けにくくなる。すなわち、干渉縞の検出感度を向上させることができる。従来、透過型電子顕微鏡（ＴＥＭ）などにおいて透過電子と散乱電子との間での干渉像の観察などは行われていたが、試料から放出または反射される二次荷電粒子による干渉を検出できる点は、他の検出方法に類を見ない本実施例の特徴である。なお、光軸上を進む二次荷電粒子を検出素子の下方で遮蔽するには、具体的には、荷電粒子検出素子108と観察試料との間に同一形状の別の荷電粒子検出素子を配置する。この場合は、別の荷電粒子検出素子では光軸上を進む二次荷電粒子を検出でき、荷電粒子検出素子108では光軸に対して軸対称に放出された二次荷電粒子間の干渉を検出することが可能になる。あるいは、荷電粒子検出素子と観察試料との間に円環絞りを配置してもよい。円環絞りの開口部の中心位置に設けられた遮蔽部が対物レンズの中心軸上に配置される。【００２５】
また、荷電粒子線の光軸上に配置する荷電粒子検出素子の検出面を調整可能にすることにより、汎用性を向上させることができる。上述した技術的効果を得るためには、荷電粒子検出器の中心が荷電粒子線の光軸（または対物レンズの中心軸）と一致していることが望ましい。したがって、光軸に対して垂直な平面内の位置調整ができることが望まれる。さらに、試料表面から光軸上を進む二次荷電粒子と光軸に対して軸対称に放出された二次荷電粒子との干渉を検出する場合には、光軸方向の位置調整も重要となる。したがって、光軸方向の位置調整もできることが望ましい。【００２６】
加えて、上述した技術的効果は、試料平面が光軸に対して垂直であることが前提になっている。例えば、試料の組成情報をより選択的に取得することができる効果は、試料平面に対して垂直に放出され、したがって試料表面の凹凸の影響を受けない後方散乱電子を検出することによっている。また、二次荷電粒子の干渉の検出も、試料平面に垂直に放出された二次荷電粒子との干渉を想定している。このため、試料平面が傾斜している場合には傾斜した試料平面に対して垂直に放出された荷電粒子の軌道上に荷電粒子検出素子の検出面が調整できるよう、荷電粒子検出素子の検出面と対物レンズの中心軸（または荷電粒子線の光軸）のなす角が調整できるとよい。【００２７】
そのため、荷電粒子素子の検出面を調整するための電動駆動機構を備え、ディスプレイ172に表示される制御画面上で操作できるようにする。さらに、設定した荷電粒子素子の検出面の位置を記憶する記憶領域を統合コンピュータ170に備え、制御画面上の操作で位置を呼び出せると便利である。検出面を駆動する機構は、モータ駆動でもよいし、ピエゾ駆動でもよい。また、両方を備えて調整量によって使い分けてもよい。なお、試料平面が傾斜している場合のみならず、加速電圧や電流量といった荷電粒子線の照射条件を変更することによっても、二次荷電粒子の軌道変化は起こる可能性がある。そのような場合においても、荷電粒子線の光軸、または対物レンズの中心軸に対する荷電粒子素子の検出面の位置や角度を調整する機能を備えていれば、照射条件ごとに調整することが可能である。
【実施例２】
【００２８】
図６に実施例２の荷電粒子線装置の構成を示す。図６の荷電粒子線装置では、荷電粒子検出素子108の検出面が対物レンズの中心軸上に位置するが、荷電粒子線の光軸上には位置しない点に特徴を有する。【００２９】
このため、図６に示す荷電粒子線カラムでは、荷電粒子線源101から放出された荷電粒子線を偏向する偏向器群122と、偏向器群を制御する偏向器群制御器182を備える。偏向器群制御器182は統合コンピュータ170により制御される。図６では、偏向器群122は４つの偏向器から構成されているが、荷電粒子検出素子108の検出面を避けるように荷電粒子線を偏向できれば、偏向器の数は問わない。例えば、二段からなる偏向器群を用いて荷電粒子線源から放出されるときの光軸と試料に照射されるときの光軸が平行になるような構成としても構わない。【００３０】
これにより、試料に照射する荷電粒子線を荷電粒子検出素子108で遮ることがない。これにより、実施例１の構成よりも高い照射電流を実現することができる。また、図６の例は図１の構成に対して荷電粒子検出素子108の検出面を避けるための偏向器群を設けた例であるが、実施例１の変形例である図４、図５の構成に対しても、荷電粒子検出素子108の検出面またはシンチレータ109を避けるための偏向器群を設けて同じ効果を得ることができる。
【実施例３】
【００３１】
図７に実施例３の荷電粒子線装置の構成を示す。図７の荷電粒子線装置では、荷電粒子線カラム内にビーム管を備えている点に特徴を有する。すなわち、荷電粒子線源101から放出された荷電粒子線を加速する加速電極102と、加速電極を制御する加速電極制御器152と、加速電極から対物レンズ下端近傍にかけて配置されたビーム管112と、ビーム管に電圧を供給するビーム管用電源113と、ビーム管用電源を制御するビーム管制御器163とを備えている。加速電極制御器152及びビーム管制御器163は統合コンピュータ170により制御される。【００３２】
試料から放出されたエネルギーの低い二次荷電粒子、例えば二次電子はビーム管の電圧によって加速され荷電粒子線カラムを直進する。これにより、エネルギーの低い二次荷電粒子における干渉も検出可能となる。【００３３】
また、二次荷電粒子の加速機構としては、図７に示したビーム管に限られず、観察試料114を戴置するステージに負の高電圧を印加する減速光学系を適用した荷電粒子線装置においても、同様の効果を得ることができる。荷電粒子線源101からの観察試料114に向かう荷電粒子線（電子線）を減速させる減速光学系は、観察試料114から放出または反射される二次荷電粒子（二次電子）を加速させる作用を有するためである。【００３４】
また、実施例２と組み合わせ、荷電粒子検出素子108の検出面を避けるための偏向器群を設けることで、より高い照射電流を実現することができる。
【符号の説明】
【００３５】
101：荷電粒子線源、102：加速電極、103：第１のコンデンサーレンズ、104：第２のコンデンサーレンズ、105：対物レンズ、106：ミラー、107：光検出素子、108：荷電粒子検出素子、109：シンチレータ、110：検出素子支持部、111：検出素子信号線、112：ビーム管、113：ビーム管用電源、114：観察試料、115：試料室、118：試料室検出器、120：荷電粒子線絞り、121：荷電粒子線絞りユニット、122：偏向器群、151：荷電粒子線源制御器、152：加速電極制御器、153：第１のコンデンサーレンズ制御器、154：第２のコンデンサーレンズ制御器、155：対物レンズ制御器、157：光検出素子制御器、158：荷電粒子検出素子制御器、163：ビーム管制御器、168：試料室検出器制御器、170：統合コンピュータ、171：コントローラ、172：ディスプレイ、181：荷電粒子線絞りユニット制御器、182：偏向器群制御器。
【図１】
2018220809.tif 000003
【図２Ａ】
2018220809.tif 000004
【図２Ｂ】
2018220809.tif 000005
【図２Ｃ】
2018220809.tif 000006
【図３】
2018220809.tif 000007
【図４】
2018220809.tif 000008
【図５】
2018220809.tif 000009
【図６】
2018220809.tif 000010
【図７】
2018220809.tif 000011
【手続補正書】
【提出日】令和1年11月20日(2019.11.20)
【手続補正１】
【補正対象書類名】特許請求の範囲
【補正対象項目名】請求項４
【補正方法】変更
【補正の内容】
【請求項４】
請求項２において、
前記第１荷電粒子線絞りの前記開口部の周辺に配置される第２荷電粒子検出素子を有し、
前記第１荷電粒子検出素子の信号出力と前記第２荷電粒子検出素子の信号出力とは分離して出力可能とされる荷電粒子線装置。
【国際調査報告】
2018220809.tif 000012
2018220809.tif 000013
2018220809.tif 000014